(57)【特許請求の範囲】
【請求項１】
互いに摺接される固定弁体と可動弁体とを有し、固定弁体に対して可動弁体を移動させることにより摺接面に開口する固定弁体及び可動弁体の各流路の連通度合いを調節する摺接弁において、
前記可動弁体には、摺接面に設けられる第１の開口部と背面に設けられる第２の開口部とを備える流路と、摺接面に設けられる第１の開口部と側面に設けられる第２の開口部とを備える流路と、が設けられ、
可動弁体を移動操作する操作部材に、前記背面に設けられる第２の開口部に係合する係合部を設け、該係合部と前記背面に設けられる第２の開口部との係合により操作部材と一体的に可動弁体が移動されるようにし、
前記可動弁体の背面の周縁側がシール部分とされ、前記背面に設けられる第２の開口部は、該シール部分の内側に位置していることを特徴とする摺接弁。
【請求項２】
前記操作部材に補助係合部を設け、
前記可動弁体において、前記背面に設けられる第２の開口部以外の領域に前記補助係合部と係合する補助被係合部を設けると共に、
前記補助被係合部は、前記可動弁体の背面に設けられる有底の補助穴であることを特徴とする請求項１に記載の摺接弁。
【発明の詳細な説明】
【０００１】
【発明の属する技術分野】
この発明は摺接弁に関し、特に、湯水混合水栓等の各種水栓に好適に用いられる摺接弁に関する。
【０００２】
【従来の技術】
摺接弁を備えた水栓の中には、操作部材に回動操作や傾動操作（揺動操作）等が施されると、可動弁体を固定弁体上で回動・進退等させて、吐水量調節、流路切換、湯水の混合調節等を行うものがある。かかる摺接弁では、操作部材に加えられた駆動力を可動弁体に伝えるために、操作部材と可動弁体とを係合させるのが一般的である。そして、この係合は、操作部材の係合部（係合用の凸部や凹部等）と、可動弁体の背面若しくは側面に設けられた係合専用の被係合部（被係合用の凹部や凸部等）を用いて行われている。
【０００３】
【発明が解決しようとする課題】
しかしながら、この係合方式を小型（薄肉タイプ等）の可動弁体に対して適用するのは困難である。
即ち、小型の可動弁体と言えども、大型（厚肉タイプ）の可動弁体と同様に、十分な通水能力を備えた流路、例えば、十分な開口面積を備えた流路を有することが必要である。そして、このような流路が小型の可動弁体の背面や側面で開口すると、これらの面の空き領域が狭くなるため、十分に機能する被係合部を別途設けることは困難になる。また、この背面や側面の全周にパッキン等のシール部材が配置される場合には、この空き領域が特に狭くなり、被係合部を別途設けることは実質的に不可能なこともある。更に、この狭い空き領域に被係合部を無理に設ければ、止水不良の原因をつくり出すことにもなりかねない。
【０００４】
一方、小型の可動弁体に被係合部を設けることを優先させた場合にも、この弁体の流路形成のための領域が狭くなるため、流路形成の自由度が低くなったり、十分な通水能力を備えた流路を形成できなくなる可能性が高い。
従って、小型の可動弁体に対して、十分な通水能力を備えた流路と、十分に機能する係合専用の被係合部とを同時に設けることは困難である。このため、前述の被係合部を備えた可動弁体では、その肉厚を十分に大きくして、その背面や側面に十分な空き領域を確保せざるを得ないのが実状である。
このような事情より、可動弁体の小型化を図りつつ、この弁体と操作部材の係合を確実に行うことができる摺接弁の出現が望まれている。
【０００５】
本発明は前記観点に鑑みてなされたものであり、可動弁体の小型化を図りつつ、可動弁体と操作部材との係合を確実に行うことができ、しかも可動弁体の構造の簡略化を図ることができる摺接弁を提供することを目的とする。
【０００６】
【課題を解決するための手段】
請求項１の摺接弁は、互いに摺接される固定弁体と可動弁体とを有し、固定弁体に対して可動弁体を移動させることにより摺接面に開口する固定弁体及び可動弁体の各流路の連通度合いを調節する摺接弁において、
前記可動弁体には、摺接面に設けられる第１の開口部と背面に設けられる第２の開口部とを備える流路と、摺接面に設けられる第１の開口部と側面に設けられる第２の開口部とを備える流路と、が設けられ、
可動弁体を移動操作する操作部材に、前記背面に設けられる第２の開口部に係合する係合部を設け、該係合部と前記背面に設けられる第２の開口部との係合により操作部材と一体的に可動弁体が移動されるようにし、
前記可動弁体の背面の周縁側がシール部分とされ、前記背面に設けられる第２の開口部は、該シール部分の内側に位置していることを特徴とする。
【０００７】
本発明では、可動弁体がその摺接面と、摺接面以外の部位（背面、側面）で開口する流路を備えている。そして、背面に設けられる開口部を用いて、可動弁体と操作部材の係合を行う。即ち、流路を被係合部として兼用するため、可動弁体に係合専用の被係合部を別途設ける必要がない。従って、小型（薄肉）の可動弁体の限られた領域を流路形成のために効率的に利用できる。このため、可動弁体の小型化を積極的に図ることができる。また、係合専用の被係合部を別途設ける必要がない分だけ、可動弁体の構造が簡便になると共にシール性能が向上する。尚、本発明は可動弁体が小型である場合に特に大きな意義を有するが、可動弁体が大型（厚肉）である場合にも、構造の簡略化とシール性能の向上が図られる点で大きな意義を有する。
【０００８】
更に、本発明の可動弁体の「移動」態様としては、（１）回動のみを行う態様や（２）進退のみを行う態様の他に、（３）回動と共に進退を行う態様等が例示できる。具体的には、単水栓等に配備され、可動弁体の進退若しくは回動により、吐水量調節を行う摺接弁を例示できる。また、シングルレバータイプの湯水混合水栓に配備され、可動弁体の進退及び回動により、湯水の混合調節（温度調節）及び吐水量調節、若しくはこれらに加えて流路切換を行う摺接弁等を例示できる。また、種々のタイプの水栓に配備され、可動弁体の回動により、吐水量調節と、流路の切換等を行う摺接弁等を例示できる。
【０００９】
また、本摺接弁には、固定弁体に対して可動弁体を移動させて、両弁体の流路の連通度合いを調節するものが広く含まれる。従って、本摺接弁が、この連通を遮断する機能を有するか否か、即ち、通水（吐水）・止水の選択機能を備えるか否かは特に問わない。例えば、本摺接弁の上流側等に通水（吐水）・止水の選択機能を具備した他の弁（摺接弁に限らない。）が配置された場合には、本摺接弁を湯水の混合調節のみを行うものとすることもできる。
【００１０】
更に、本発明の「操作部材」とは、可動弁体が操作軸（スピンドル等）や操作杆等に直接係合される場合には、この操作軸等を指し、可動弁体がこの操作軸等に、介在物（可動ブロック等）等を介して間接的に係合される場合には、操作軸等と介在物とを併せたものを指す。
【００１１】
請求項２の発明では、請求項１の摺接弁において、
前記操作部材に補助係合部を設け、
前記可動弁体において、前記背面に設けられる第２の開口部以外の領域に前記補助係合部と係合する補助被係合部を設けると共に、
前記補助被係合部は、前記可動弁体の背面に設けられる有底の補助穴であることを特徴とする。
本発明では、補助係合部と、補助被係合部とで補助的な係合を行い、操作部材及び可動弁体の係合の信頼性を高めている。尚、この「補助被係合部」は、従来技術として前述した「係合専用の被係合部」と異なり、あくまでも補助的なものである。従って、可動弁体の背面や側面の空き領域が狭い場合には、このような領域にも形成容易なサイズや形状に止めることができる。このため、可動弁体に「補助被係合部」を付加しても、この弁体の小型化の妨げとはならない。
【００１２】
【発明の実施の形態】
以下、この発明の実施の形態を説明する。
本実施の形態では、本摺接弁の組み込まれた切換弁カートリッジＢの一具体例を説明する。
この切換弁カートリッジＢは、所定の湯水混合水栓（図示を省略）に配備されるものであり、図１に示すように、後方ハウジング３０と、前方ハウジング４０と、固定弁体５０と、可動弁体６０と、操作部材７０とを備えている。
【００１３】
このうち、後方ハウジング３０は、樹脂等を用いて作製した一体成形品であり、略円筒状の外形を備える。但し、前端部の２箇所からは、孔付きの係止腕３１を突出させている。また、後方ハウジング３０の前端部のうちで、各係止腕３１の根元側に位置する箇所には略矩形状の切り欠き部３２が設けられている。
【００１４】
更に、後方ハウジング３０の中間部の周面には、カラン側出口孔３３が設けられている。また、この出口孔３３の前方に位置する周面部分には、Ｏリングｈを装着するための装着溝が設けられている。
更に、後方ハウジング３０の前方の開口部は、段差状に凹んだ弁体搭載部３４とされている。また、この搭載部３４には、内周側にＴ字状部分が付加された特殊形状のＯリングｋを嵌め込むための装着溝ｓを備える。そして、この搭載部３４は、この装着溝ｓを境界に開口ｄ（駄肉を削除した単なる開口）と、取入用通過孔（中心角が９０度前後の平面略扇形状）ｑと、流出用通過孔（中心角が９０度前後の平面略扇形状）ｒとに区画されている。
【００１５】
また、図１及び図２に示すように、後方ハウジング３０内部の中間から前端寄りには、仕切り壁３５が設けられており、この仕切り壁３５により取入用流路ｖと流出用流路ｗとが区画されている。そして、取入用流路ｖは、後方ハウジング３０後端の取入口３６を入口とし、取入用通過孔ｑを出口とし、流出用流路ｗは、流出用通過孔ｒを入口とし、カラン側出口孔３３を出口としている。
【００１６】
また、前方ハウジング４０も樹脂等を用いて作製した一体成形品であり、図１に示すように、有底の略円筒形とされている。更に、前面の略中央には、このハウジング４０の内外を貫通する軸挿通部４３が略筒状に立ち上げられている。また、周面の前端側には、Ｏリングｍが嵌め込まれる装着溝が設けられている。
更に、前方ハウジング４０の周面の後方側の２箇所には、係止腕３１と略凹凸の反転した形状の係止用凹部４５が設けられ、各凹部４５の略中心位置には係止腕３１の孔に嵌入可能な突起が設けられている。尚、各凹部４５の後端側が略矩形状の切り欠き部４７とされている。
また、前方ハウジング４０の周面の中間部には、２つシャワー側出口孔４８、４８が設けられている。
【００１７】
また、固定弁体（例えば、セラミックス製）５０は、図１に示すように、略円板形状とされ、周面に２つの位置決め突起５１を備える。更に、固定弁体５０には、供給用流路５２と、カラン連絡用流路５３が、この弁体５０の摺接面５５及び背面５６で開口する状態に設けられている。そして、何れの流路５２、５３も、中心角が９０度前後の平面略扇形状とされている。
【００１８】
また、可動弁体（例えば、セラミックス製）６０は、図１に示すように、薄肉の略円板形状とされている。そして、図２に示すように、摺接面６５に第１の開口部Ｄを備えると共に背面６６に第２の開口部Ｅを備えたカラン選択用流路（中心角が略１８０前後の平面略扇形状）６１と、摺接面６５に第１の開口部Ｆを備えると共に側面６７に第２の開口部Ｇを備えたシャワー選択用流路（中心角が略９０前後の平面扇形状）６２とが設けられている。
【００１９】
この可動弁体６０では、図３（ｂ）に示すように、背面６６の周縁側がＯリングｎの当接箇所ｔとなっている。また、図３（ａ）に示すように、この当接箇所ｔの内側に位置する部分の約半分が第２の開口部Ｅとされている。また、この部分のうちの約１／４では、その直下にシャワー選択用流路６２が形成され、肉厚が小さくされている。従って、この背面６６の空き流域は、図３（ａ）の一点鎖線ｘで取り囲んだ狭い範囲に限定される。そして、この背面６６の空き流域には、有底の補助穴（補助被係合部）６３が設けられている。また、この可動弁体６０の側面６７には、シャワー選択用流路６２の第２の開口部Ｇが設けられると共にこの弁体６０が薄肉タイプであるため、十分な空き領域は存在しない。
【００２０】
また、操作部材７０は、樹脂等を用いて作製した一体成形品であり、図１に示すように、略スカート形状とされた基端部７１と、その前端より略軸状に突設された軸本体部７２とを備える。このうち、基端部７１の傾斜状の内壁面からは、一対の係合用突起（係合部）７３、７４が略ハの字状に垂下している。
また、この内壁面の両突起７３、７４に挟まれた箇所からは補助突起（補助係合部）７５が垂下している。更に、この内壁面には、これらの突起７３、７４、７５を周回状に取り囲み、Ｏリングｎが嵌め込まれる装着溝７６が設けられている。また、軸本体部７２の根元部にはＯリングｐの嵌め込まれる装着溝が設けられている。更に、中間部にはセレーション溝Ｍが設けられ、前端部は略太鼓形状のハンドル係合部Ｎとされている。
【００２１】
次に、以上の切換弁カートリッジＢの組付手順等の一例を簡単に述べる。
先ず、後方ハウジング３０にＯリングｈ、ｋを装着した後に、固定弁体５０を後方ハウジング３０に取着する。この取着は、各位置決め突起５１の下半側を対応する切り欠き部３２に嵌め込み、固定弁体５０の背面５６を弁体搭載部３４の前面に、Ｏリングｋを挟んで水密状に衝合させて行われる。これにより、供給用流路５２が取入用流路ｖと連通し、カラン連絡用流路５３が流出用流路ｗと連通する。
【００２２】
続いて、操作部材７０にＯリングｎ、ｐを装着した後に、操作部材７０を可動弁体６０の背面６６に取着する。この取着は、図３（ａ）に示すように、両係合用突起７３、７４をカラン選択用流路６１の両端側（可動弁体６０の回動方向に沿った両端側）に挿入すると共に補助突起７５を補助穴６３に挿入しながら行われる。この装着により、図３（ｂ）に示すように、両係合用突起７３、７４の下面が、可動弁体６０の摺接面６５の若干、手前の位置まで到達する。また、各係合用突起７３、７４の２つの側面ａ、ｂがカラン選択用流路６１の内壁面に接触すると共に、補助突起７５が補助穴６３に係合しているため、操作部材７０を回動させれば可動弁体６０も一体で回動することになる。
【００２３】
次いで、前方ハウジング４０にＯリングｍを装着した後に、操作部材７０及び可動弁体６０を、このハウジング４０の後端側よりその内部に挿入する。このとき、図２に示すように、軸本体部７２が軸挿通部４３に挿入され、セレーション溝Ｍ及びハンドル係合部Ｎが軸挿通部４３の前方に露出する。
続いて、前後のハウジング３０、４０を接続すれば、本切換弁カートリッジＢの組付けを完了する。この接続は、各係止腕３１を対応する係止用凹部４５に位置合わせし、前者の孔に後者の突起を係止させて行われる。同時に、固定弁体５０の各位置決め突起５１の上半側が、前方ハウジング４０の対応する切り欠き部４７に嵌め込まれる。
【００２４】
そして、本切換弁カートリッジＢは所望の水栓本体１０に配備された後、操作部材７０の露出部分Ｍ、Ｎに切換ハンドルが取着され、使用可能な状態となる。このとき、後方ハウジング３０の後端の取入口３６は、この水栓本体１０に設けられた湯水混合室に連絡される。同時に、後方ハウジング３０のカラン側出口孔３３は、この水栓本体１０に設けられたカラン室に連絡される。また、前方ハウジング４０のシャワー側出口４８、４８は、この水栓本体１０に設けられたシャワー室に連絡される。
【００２５】
次に、本切換弁カートリッジＢの使用例を図４〜７を用いて説明する。尚、本実施の形態では周縁寸法の略等しい固定弁体５０と可動弁体６０を用いたが、これらの図においては、説明の便宜上、固定弁体５０を大きめに図示している。
先ず、図４は、湯水混合水栓が止水状態にあることを示している。即ち、可動弁体６０の何れの選択用流路６１、６２も、固定弁体５０の供給用流路５２と遮断された状態となっている。
【００２６】
そして、湯水をカランから吐水させたい場合には、図５に示すように、切換ハンドルＨ（水栓本体１０の右側面に配置される。）を使用者の側に回転させる。これにより、可動弁体６０が回転し、カラン選択用流路６１が固定弁体５０の両流路５２、５３に連通し、取入用流路ｖと流出用流路ｗが連絡され、カラン吐水が可能となる。一方、湯水をシャワーヘッドから吐水させたい場合には、図６に示すように、切換ハンドルＨを使用者と反対側に回転させる。これにより、可動弁体６０が回転し、シャワー選択用流路６２が固定弁体５０の供給用流路５２に連通し、シャワー吐水が可能となる。更に、何れの吐水の場合にもハンドルＨの操作量を選択し、各選択用流路６１、６２と、供給用流路５２の重なり合う面積を調節すれば流量調節が行われる。
【００２７】
以上の切換弁カートリッジＢでは、操作部材７０と可動弁体６０との係合を、係合用突起７３、７４の開口部Ｅへの挿入を主体に行っている。即ち、可動弁体６０の一方の選択用流路６１に、湯水の流通という本来の機能の他に、被係合部としての機能を兼任させている。このため、可動弁体６０は、薄肉タイプとされ、背面６６及び側面６７に大型の開口部Ｅ、Ｇを設け、しかも背面６６の周縁側がシール部分とされ、空き領域（ｘ等）が狭くなっているが、第２の開口部Ｅを用いて操作部材７０にしっかりと係合する。しかも、この弁体６０の背面６６の僅かな空き領域に設けた補助穴６３と、操作部材７０の補助突起７５により、操作部材７０及び可動弁体６０の係合の信頼性が高められている。
【００２８】
従って、薄肉の可動弁体６０の限られた領域を流路６１、６２の形成のために有効に利用できる。また、可動弁体６０に対して、係合専用の被係合部（補助穴６３のような補助的なものを除く。）を別途設ける必要がない分だけ、可動弁体６０の構造が簡便になると共にシール性能が向上する。
【００２９】
また、本切換弁カートリッジＢによると、この可動弁体６０との係合に用いられる係合用突起７３、７４の一方を用いて、カラン吐水開始時と終了時におけるウォーターハンマーの発生を防止することもできる。このため、カラン吐水開始時等に「不快な音」や「不快な振動」等が発生することを防止できると共に、この切換弁カートリッジＢの配備された湯水混合水栓の配管（水道管等）の的確な保護がなされ、しかも切換ハンドルＨの操作感の向上（引っ掛かり感を低減させる。）を図ることができる。以下、この点について詳述する。
【００３０】
このウォーターハンマーの発生防止の対策として、図８に示すように、可動弁体６０の摺接面６５に、カラン選択用流路６１に連続する凹部Ｙを設け、本切換弁カートリッジＢの閉弁直前及び開弁直後の暫くの間、この凹部Ｙを通じて供給用流路５２からカラン選択用流路６１へと湯水を少量ずつ漏れ出させることが有効である。ただし、この方策を用いる場合には、凹部Ｙ、即ち流量絞り部Ｙを高精度に形成し、その流路抵抗を十分にコントロールとすることが必要となる。
【００３１】
しかし、弁体５０、６０の素材としては、耐摩耗性を重視して、樹脂等の他の素材に比べて成形性や加工性に劣るセラミックス等が用いられるのが一般的なため、高精度な凹部Ｙを備えた弁体６０を作製することは必ずしも容易ではない。また、弁体６０の製造の最終段階で、その摺接面６５にラッピング等の鏡面加工が施されるが、その加工量が僅でもばらつけば、この凹部Ｙの精度が大きく低下すると考えられる。更に、摺接面６５に形成可能な凹部Ｙの形状にも一定の限界があるため、凹部Ｙの形状に工夫を凝らせば（複雑化等）、「ウォーターハンマー」の発生をより確実に防止できるにも係わらず、実際に形成可能な凹部Ｙは単純形状に止まることも考えられる。
【００３２】
一方、本切換弁カートリッジＢでは、図７に示すように、可動弁体６０のカラン選択用流路６１の遮断側縁部６８に、この弁体６０と別体の係合用突起７３を入れ込んでいる。そして、カラン選択用流路６１の遮断側縁部６８近傍の流路深さを係合用突起７３の下面と、可動弁体６０の摺接面６５との間隔に絞り込み、流量絞り部Ｒを形成している。尚、「遮断側縁部」とは、固定弁体５０と可動弁体６０の連通可能な各流路（５２及び６１、５２及び６２）の各周縁のうちで、摺接弁の閉弁を行う際に、互いに終端として交差し合う側に位置する部分５８、５９、６８、６９である。換言すれば、摺接弁の開弁を行う際に、始端として互いに交差し合う側に位置する部分である。
【００３３】
このとき、流量絞り部Ｒが高精度で、その流路抵抗が的確であれば、カラン吐水終了直前と、開始直後の暫くの間、供給用流路５２からカラン選択用流路６１へと流入する湯水の流量が適量（僅かずつの漏れ出る程度）に絞り込まれる。そして、カラン吐水の終了時及び開始時に、本切換弁カートリッジＢを通過する湯水の流量は、この絞り込まれた流量を基準に増減する。従って、カラン吐水の終了時や開始時に、この流量が急激に変動することがないため、ウォーターハンマーの発生を確実に防止できる。
【００３４】
そして、この流量絞り部Ｒの性能の適否に大きく係わるのは、係合用突起７３の寸法精度等であるが、この突起７３が可動弁体６０と別体とされ、しかも成形の自由度や加工性の高い樹脂を用いて作製されるため、この寸法精度等を高めることは容易である。しかも、仮に、可動弁体６０の摺接面６５の鏡面加工にばらつきを生じても、取り扱いの容易な係合用突起７３の寸法調節で瞬時に対応できる。
【００３５】
従って、本切換弁カートリッジＢによると、少ない手間と、コストで得られた高精度の流量絞り部Ｒを用いてカラン吐水開始時と、終了時におけるウォーターハンマーの発生を確実に防止できる。また、この流量絞り部Ｒが操作部材７０の一部分を用いて構成されるため、このような有益な効果を発揮しつつも部品点数が増えない。
また、係合用突起７３は、可動弁体６０と別体とされ、しかも樹脂を用いて作製され、その形状選択の自由度が高いため、この突起７３の形状を工夫（複雑化等）して、更に高性能な流量絞り部Ｒを得ることも容易である。
【００３６】
尚、本切換弁カートリッジＢでは、カラン側の吐止水時のウォーターハンマー対策のみを講じたが、シャワー側の吐止水時、若しくはカラン側及びシャワー側の吐止水時のウォーターハンマー対策を講じてもよい。例えば、操作部材７０に別の係合用突起を設け、この突起をシャワー選択用流路６２の第２の開口部Ｇに係合し、この流路６２の遮断側縁部６９に流量絞り部を形成すれば、シャワー側の吐止水時のウォーターハンマーを確実に防止できる。
【００３７】
また、係合用突起７３とは別の部材を用いて、固定弁体５０に流量絞り部を形成することもできる。即ち、図７（ａ）の固定弁体５０の供給用流路５２のカラン選択用流路６１に対する遮断側縁部５８や、シャワー選択用流路６２に対する遮断側縁部５９に流量絞り部を形成してもよい。例えば、弁体搭載部３４より所定の突起を立ち上げ、この突起を供給用流路５２に挿入し、流量絞り部を形成することができる。この場合、この突起を固定弁体５０の位置決めや固定のために用いることもできる。
【００３８】
更に、本切換弁カートリッジＢによると、各弁体５０、６０の摺接面５５、６５自体に流量絞り部（凹部等）を設けないため、これらの面５５、６５のシール性能が確実に確保される。また、流量絞り部Ｒに異物が付着しても、係合用突起７３を可動弁体６０より取り外せば、異物の除去を容易に行うことができる。しかも、異物の多くは、係合用突起７３に付着するものと考えられ、この突起７３のみに除去作業を施せばよいため、弁体６０の摺接面６５に傷を付けることはない。また、可動弁体６０の各選択用流路６１、６２の内壁に異物が付着した場合にも、この内壁のみに除去作業を施せばよいため、摺接面６５に傷を付けることはない。
【００３９】
尚、前記各発明の範囲は、前記具体的に示した各実施の形態に示すものに限定されず、各発明の範囲内で種々の変形例を例示できる。
即ち、本摺接弁において湯水の入出力方向は特に問わない。例えば、実施の形態の切換弁カートリッジＢにおいて、カラン側出口孔３３及びシャワー側出口孔４８を入力側とし、後方ハウジング３０の取入口３５を出力側とすることもできる。具体的には、出口孔３３及び出口孔４８の一方を水道に直接連絡された源水取入口とし、他方を浄水器に連絡された浄水取入口（他方をソーラシステムに連絡されたソーラ取入口でもよい。）としてもよい。
【００４０】
また、操作部材７０の補助係合部を凹状とし、可動弁体６０の補助被係合部を凸状としてもよい。また、係合用突起７３、７４を一本にしたり、請求項１の発明においては、補助突起７５等を省略することもできる。
【００４１】
【発明の効果】
以上のように、請求項１の発明によると、可動弁体の小型化と構造の簡略化とを図りつつ、可動弁体と操作部材との係合を確実に行うことができる摺接弁が得られる。
また、請求項２の発明によると、可動弁体と操作部材との係合の信頼性を高めることができる。
【図面の簡単な説明】
【図１】発明の実施の形態の切換弁カートリッジの各構成部品を説明するための斜視図である。
【図２】発明の実施の形態の切換弁カートリッジの構造を示す縦断面図である。
【図３】（ａ）は係合用突起等と可動弁体の関係を説明するための平面図、（ｂ）は図３（ａ）の３−３縦断面図である。
【図４】摺接弁が止水状態にあるときの固定弁体、可動弁体及び係合用突起の位置関係を説明する概略的な横断面図である。
【図５】摺接弁がカラン吐水の状態にあるときの固定弁体、可動弁体及び係合用突起の位置関係を説明する概略的な横断面図である。
【図６】摺接弁がシャワー吐水の状態にあるときの固定弁体、可動弁体及び係合用突起の位置関係を説明する概略的な横断面図である。
【図７】（ａ）は緩和部の機能を説明するための固定弁体、可動弁体及び係合用突起の概略的な横断面図、（ｂ）は図７（ａ）の７−７縦断面図である。
【図８】本発明者の案出した凹部を備える弁体を説明するための概略的な縦断面図である。
【符号の説明】
Ｂ；切換弁カートリッジ、Ｒ；流量絞り部、ｈ、ｋ、ｍ、ｎ、ｐ；Ｏリング、Ｈ；切換ハンドル、
３０；後方ハウジング、３１；係止腕、３２；切り欠き部、３３；カラン側出口孔、３４；弁体搭載部、ｓ；装着溝、ｄ；開口、ｑ、ｒ；通過孔、３５；仕切り壁、３６；取入口、ｖ；取入用流路、ｗ；流出用流路、
４０；前方ハウジング、４３；軸挿通部、４５；係止用凹部、４７；切り欠き部、４８；シャワー側出口孔、
５０；固定弁体、５１；位置決め突起、５２；供給用流路、５３；カラン連絡用流路、５５；摺接面、５６；背面、５８、５９；遮断側縁部、
６０；可動弁体、６１、６２；選択用流路、Ｄ、Ｆ；第１の開口部、Ｅ、Ｇ；第２の開口部、６３；補助穴（補助被係合部）、６５；摺接面、６６；背面、６７；側面、６８、６９；遮断側縁部、
７０；操作部材、７１；基端部、７２；軸本体部、７３、７４；係合用突起（係合部）、７５；補助突起（補助係合部）、７６；装着溝、Ｍ；セレーション溝、Ｎ；ハンドル係合部。
【図１】
0004119954.tif 000002
【図２】
0004119954.tif 000003
【図３】
0004119954.tif 000004
【図４】
0004119954.tif 000005
【図５】
0004119954.tif 000006
【図６】
0004119954.tif 000007
【図７】
0004119954.tif 000008
【図８】
0004119954.tif 000009